(57)【要約】【課題】緊急放送受信装置において、緊急放送の開始を通知する情報が異なる複数の緊急放送を、緊急放送毎に検出用の受信部を設けることなく自動で検知できるようにする。【解決手段】緊急放送受信装置は、緊急放送用のＦＭ放送信号を受信し、復調することで左右の音声信号を出力する緊急放送受信部と、左右の音声信号の内、一方の音声信号から第１緊急放送を検知する第１信号検知部と、左右の音声信号の内、他方の音声信号から第１緊急放送とは送信元が異なる第２緊急放送を検知する第２信号検知部と、第１信号検知部又は第２信号検知部にて第１緊急放送又は第２緊急放送が検知されると、スピーカから警報音を発生させて周囲に報知する制御部とを備える。【選択図】図１
2018019230.tif 000002
【特許請求の範囲】
【請求項１】
有線又は無線にて送信されてくる緊急放送用のＦＭ放送信号を受信し、復調することで左右の音声信号を出力する緊急放送受信部と、
前記緊急放送受信部から出力される左右の音声信号の内、一方の音声信号から第１緊急放送を検知する第１信号検知部と、
前記緊急放送受信部から出力される左右の音声信号の内、他方の音声信号から前記第１緊急放送とは送信元が異なる第２緊急放送を検知する第２信号検知部と、
前記第１信号検知部又は前記第２信号検知部にて前記第１緊急放送又は前記第２緊急放送が検知されると、スピーカから警報音を発生させて周囲に報知する制御部と、
を備えた、緊急放送受信装置。
【請求項２】
前記第１信号検知部は、前記音声信号に含まれるＤＴＭＦ信号から、前記第１緊急放送を検知するよう構成されており、
前記第２信号検知部は、前記音声信号の音圧、又は、前記音声信号をデジタル復調することにより得られるデータから、前記第２緊急放送を検知するよう構成されている、請求項１に記載の緊急放送受信装置。
【請求項３】
有線又は無線にて送信されてくる信号の中から所定周波数のＦＭ放送信号を選局し、復調することで音声信号を出力するＦＭ放送受信部を備え、
前記制御部は、前記第１信号検知部又は前記第２信号検知部にて前記第１緊急放送又は前記第２緊急放送が検知されると、前記ＦＭ放送受信部に前記緊急放送用のＦＭ放送信号を選局・復調させ、該復調された音声信号を前記スピーカに出力させることで、前記警報音として前記スピーカから緊急放送の音声を発生させるように構成されている、請求項１又は請求項２に記載の緊急放送受信装置。
【請求項４】
前記警報音として音声案内用の音声信号を生成する音声合成部を備え、
前記制御部は、前記第１信号検知部又は前記第２信号検知部が前記第１緊急放送又は前記第２緊急放送を検知するのに利用した送信情報を識別し、該識別結果に応じた音声案内用の音声信号を前記音声合成部に生成させて、前記スピーカから該音声案内用の音声を発生させるように構成されている、請求項１〜請求項３の何れか１項に記載の緊急放送受信装置。
【請求項５】
文字情報を表示可能な表示部を備え、
前記制御部は、前記第１信号検知部にて、前記音声信号に含まれるＤＴＭＦ信号から前記第１緊急放送が検知されると、その後、該ＤＴＭＦ信号の変化から文字情報を取得し、前記表示部に文字情報を表示するよう構成されている、請求項２、又は、請求項２を引用する請求項３又は請求項４、に記載の緊急放送受信装置。
【発明の詳細な説明】
【技術分野】
【０００１】
本開示は、ＣＡＴＶシステムの伝送路や放送電波を利用して送信されてくる緊急放送用のＦＭ放送信号を受信する緊急放送受信装置に関する。
【背景技術】
【０００２】
従来、ＣＡＴＶシステムのセンタ装置やＦＭラジオのコミュニティ放送局を利用して緊急放送を行う放送システムが知られている（例えば、特許文献１参照）。
この放送システムでは、予め設定された周波数のＦＭ放送信号にて緊急放送を行い、緊急放送の開始時には、そのＦＭ放送信号を利用してＤＴＭＦ信号（Dual Tone Multi Frequency、所謂トーン信号）からなる指令情報を送信することで、緊急放送受信用の受信部を自動で起動させる。
【０００３】
このため、緊急放送を受信可能な受信装置には、ＦＭ放送を選局して放送信号を復調するＦＭ放送用の受信部とは別に、告知放送を選局してＤＴＭＦ信号を検知するＤＴＭＦ信号検知用の受信部が設けられている。
【０００４】
そして、後者の受信部にてＤＴＭＦ信号が検知されると、ＦＭ放送用の受信部の選局周波数が告知放送の周波数に自動で切り換えられて、緊急放送の受信・復調が開始される。
従って、この種の受信装置によれば、緊急放送の開始を表すＤＴＭＦ信号を受信すると、スピーカから緊急放送の音声が自動で出力されることになり、受信装置の利用者は、受信装置を手動で起動させることなく、緊急放送を聴くことができる。
【先行技術文献】
【特許文献】
【０００５】
【特許文献１】実用新案登録第３１１８１８８号公報
【発明の概要】
【発明が解決しようとする課題】
【０００６】
ところで、緊急放送は、通常時の告知放送に比べて音圧（換言すれば音声信号の信号レベル）を上げて放送されることがある。そして、この種の緊急放送を受信し、音声を復調するには、必ずしもＤＴＭＦ信号を利用する必要はない。
【０００７】
つまり、通常よりも音圧を上げて実施される緊急放送の場合、緊急放送検出用の受信部にて復調した音声信号の音圧（換言すれば信号レベル）を検知し、音圧が通常時よりも高くなったときに緊急放送受信用の受信部を起動するようにすれば、上記と同様の効果を得ることができる。
【０００８】
そして、このような緊急放送を行う場合、送信側では、ＤＴＭＦ信号を送信する必要がないため、送信システムの構成を簡単にすることができる。
しかしながら、この種の緊急放送を受信するには、緊急放送検出用の受信部にて受信・復調した音声信号から音圧を検知する音圧検知部を備えた受信装置を使用する必要がある。
【０００９】
このため、緊急放送を受信可能な受信装置を、緊急放送の開始をＤＴＭＦ信号にて通知する放送システムと、緊急放送を音声信号の音圧を上げて実施する放送システムとの両方で利用できるようにするには、３つのＦＭ放送受信用の受信部を設ける必要がある。
【００１０】
つまり、この場合、受信装置には、緊急放送を含む通常のＦＭ放送を受信する受信部に加えて、ＤＴＭＦ信号受信用の受信部と、音圧検出用の受信部とを設ける必要があり、装置構成が複雑になる。
【００１１】
本開示の一局面は、緊急放送受信装置において、緊急放送の開始を通知する情報が異なる複数の緊急放送を、緊急放送毎に検出用の受信部を設けることなく自動で検知できるようにすることを目的とする。
【課題を解決するための手段】
【００１２】
本開示の一局面の緊急放送受信装置は、有線又は無線にて送信されてくる緊急放送用のＦＭ放送信号を受信し、復調することで左右の音声信号を出力する緊急放送受信部と、第１信号検知部及び第２信号検知部と、制御部と、を備える。
【００１３】
第１信号検知部は、緊急放送受信部から出力される左右の音声信号の内、一方の音声信号から第１緊急放送を検知し、第２信号検知部は、緊急放送受信部から出力される左右の音声信号の内、他方の音声信号から第１緊急放送とは送信元が異なる第２緊急放送を検知する。
【００１４】
そして、制御部は、第１信号検知部又は第２信号検知部にて第１緊急放送又は第２緊急放送が検知されると、スピーカから警報音を発生させて周囲に報知する。
従って、本開示の緊急放送受信装置によれば、第１緊急放送が実施される地域であっても、第２緊急放送が実施される地域であっても、緊急放送が実施されると、その旨を速やかに検知して、周囲に報知することができる。
【００１５】
また、第１緊急放送及び第２緊急放送の実施は、一つの受信部を用いて検知できることから、緊急放送毎に放送開始検出用の受信部を設ける必要がなく、装置構成を簡単にすることができる。
【００１６】
ここで、第１信号検知部は、上述した従来装置と同様、音声信号に含まれるＤＴＭＦ信号から、第１緊急放送を検知するよう構成されていてもよい。また、第２信号検知部は、音声信号の音圧、若しくは、音声信号をデジタル復調することにより得られるデータから、第２緊急放送を検知するよう構成されていてもよい。
【００１７】
このようにすれば、ＤＴＭＦ信号にて緊急放送の開始を通知するように構成された局からの緊急放送と、音声信号の音圧を通常時よりも大きくするか、或いは、音声信号をデジタル変調（例えば、ＦＳＫ、ＰＳＫ、ＱＡＭ、等）することにより緊急放送の開始を通知するように構成された局からの緊急放送と、をそれぞれ検知することができる。
【００１８】
一方、本開示の緊急放送受信装置は、有線又は無線にて送信されてくる信号の中から所定周波数のＦＭ放送信号を選局し、復調することで音声信号を出力するＦＭ放送受信部を備えていてもよい。
【００１９】
この場合、制御部は、第１信号検知部又は第２信号検知部にて第１緊急放送又は第２緊急放送が検知されると、ＦＭ放送受信部に緊急放送用のＦＭ放送信号を選局・復調させ、その復調された音声信号をスピーカに出力させるようにしてもよい。
【００２０】
このようにすれば、警報音としてスピーカから緊急放送の音声を発生させることができ、視聴者は、自動で緊急放送を聴くことができるようになる。
また、緊急放送受信装置は、警報音として音声案内用の音声信号を生成する音声合成部を備えていてもよい。
【００２１】
この場合、制御部は、前記第１信号検知部又は前記第２信号検知部が前記第１緊急放送又は前記第２緊急放送を検知するのに利用した送信情報を識別し、その識別結果に応じた音声信号を音声合成部に生成させて、スピーカから音声案内用の音声を発生させるように構成されていてもよい。
【００２２】
なお、このように緊急放送の送信情報に応じた音声案内を発生させるには、第１信号検知部又は第２信号検知部にて送信情報を識別できるようにする必要がある。そして、このためには、第１信号検知部又は第２信号検知部は、緊急放送受信部から出力される音声信号に含まれるＤＴＭＦ信号の種類やその信号配列、デジタル変調された音声信号をデジタル復調することにより得られるデータ、等に基づき、送信情報を識別するように構成するとよい。
【００２３】
一方、第１信号検知部が音声信号に含まれるＤＴＭＦ信号から第１緊急放送を検知するよう構成されている場合、第１信号検知部では、ＤＴＭＦ信号の種類を識別することになる。このため、制御部は、その識別されたＤＴＭＦ信号の配列から、緊急放送の送信元から送信された情報を識別するように構成することもできる。
【００２４】
従って、制御部は、第１信号検知部にて、音声信号に含まれるＤＴＭＦ信号から第１緊急放送が検知されると、その後、第１信号検知部にて識別されたＤＴＭＦ信号の変化から文字情報を取得し、その文字情報を表示部に表示するように構成されていてもよい。
【００２５】
この場合、ＤＴＭＦ信号にて緊急放送を実施する局では、ＤＴＭＦ信号の変化パターンにて文字情報を送信することで、緊急放送受信装置側の表示部に所望のメッセージを表示させることができるようになり、緊急時の通報をより正確に実施することが可能となる。
【図面の簡単な説明】
【００２６】
【図１】実施形態の緊急放送受信装置の構成を表すブロック図である。
【図２】制御部にて実行される緊急報知処理を表すフローチャートである。
【図３】変形例の制御部にてＤＴＭＦ信号検知後に実行される緊急報知処理を表すフローチャートである。
【発明を実施するための形態】
【００２７】
以下に本発明の実施形態を図面と共に説明する。
図１に示すように、本実施形態の緊急放送受信装置２は、ＣＡＴＶシステムのセンタ装置若しくはコミュニティ放送局からのＦＭ放送信号を入力するための入力端子４を備える。
【００２８】
この入力端子４は、Ｆ型コネクタにて構成されており、同軸ケーブルを介して、ＣＡＴＶシステムの伝送路若しくはＦＭ放送電波を受信する受信アンテナに接続される。
また、緊急放送受信装置２内では、入力端子４は、ＦＭ放送信号を通過させるバンドパスフィルタ（ＢＰＦ）７、及び、ＦＭ放送信号を増幅する増幅器８、を介して、緊急放送受信部１０及びＦＭ放送受信部２０にそれぞれ接続されている。
【００２９】
なお、バンドパスフィルタ７の通過周波数帯域は、例えば、ＦＭ放送の周波数帯域を含む７６ＭＨｚ〜１０８ＭＨｚに設定されており、入力端子４からバンドパスフィルタ７に至るＦＭ放送信号の伝送経路には、サージアブソーバ６が設けられている。
【００３０】
緊急放送受信部１０は、センタ装置若しくはコミュティ放送局からの緊急放送を選局して音声信号を復調するためのものであり、選局周波数が緊急放送の周波数に予め設定されたＦＭチューナにて構成されている。
【００３１】
ＦＭ放送受信部２０は、入力端子４を介して入力される各種ＦＭ放送信号の中から所定周波数のＦＭ放送信号を選局して音声信号を復調するためのものであり、選局周波数を調整可能なＦＭチューナにて構成されている。
【００３２】
緊急放送受信部１０及びＦＭ放送受信部２０は、選局したＦＭ放送がステレオ放送である場合に、左右の音声信号を復調可能であり、各音声信号を出力するための左右の音声出力端子Ｌ、Ｒを備える。
【００３３】
また、これら各受信部１０、２０は、選局したＦＭ放送がモノラル放送である場合には、復調したモノラル音声信号を左右の音声出力端子Ｌ、Ｒから出力する。このため、緊急放送がモノラル放送であっても、緊急放送受信部１０の左右の音声出力端子Ｌ、Ｒからは同じ音声信号が出力される。
【００３４】
緊急放送受信部１０の左右の音声出力端子Ｌ、Ｒの内、左の音声出力端子Ｌには、音声信号の信号レベルから音圧を検知する音圧検知部１２が接続されており、右の音声出力端子Ｒには、ＤＴＭＦ信号を検知するＤＴＭＦ検知部１４が接続されている。そして、音圧検知部１２及びＤＴＭＦ検知部１４からの検知信号は、制御部３０に入力される。
【００３５】
制御部３０は、ＣＰＵ、ＲＯＭ、ＲＡＭ等を含むマイクロコンピュータにて構成されている。
制御部３０は、通常、音圧検知部１２及びＤＴＭＦ検知部１４からの検知信号に基づき緊急放送が実施されているか否かを監視しており、緊急放送の実施を検知すると、ＦＭ放送受信部２０の選局周波数を緊急放送に同調させて、緊急放送を受信させる。
【００３６】
また、制御部３０には、使用者により操作される操作部３４、ＦＭ放送受信部２０の動作状態（選局周波数等）や各種メッセージを表示するための表示部３６、緊急放送の受信中に外部機器（報知ランプ等）を動作させるための出力部３８が接続されている。
【００３７】
そして、制御部３０は、操作部３４を介して、ＦＭ放送の受信指令が入力されると、ＦＭ放送受信部２０の選局周波数を、操作部３４を介して設定されたＦＭ放送の周波数に設定して、そのＦＭ放送を選局・復調させる。
【００３８】
ＦＭ放送受信部２０で復調されたステレオ放送若しくはモノラル放送の音声信号は、ＦＭ放送受信部２０の左右の音声出力端子Ｌ、Ｒから左右のスピーカ２８Ｌ、２８Ｒに向けて出力される。
【００３９】
その左右の音声信号の出力経路には、音量調整部２４Ｌ、２４Ｒ、音声信号の増幅回路２６Ｌ、２６Ｒが設けられ、制御部３０は、各音量調整部２４Ｌ、２４Ｒを介して、スピーカ２８Ｌ、２８Ｒから発生する音声信号の音量を調整する。
【００４０】
つまり、制御部３０は、ＦＭ放送受信部２０にて操作部３４を介して指定されたＦＭ放送が受信されている場合には、操作部３４を介して指令された音量となるよう、音量調整部２４Ｌ、２４Ｒを調整する。また、ＦＭ放送受信部２０にて緊急放送が受信されている場合には、予め設定された緊急放送用の大音量となるよう、音量調整部２４Ｌ、２４Ｒを調整する。
【００４１】
また、本実施形態の緊急放送受信装置２には、音声案内用の音声信号を生成する音声合成部３２が設けられており、音声合成部３２にて生成された音声信号は、音声切り換えスイッチ２２Ｌ、２２Ｒに入力される。
【００４２】
音声切り換えスイッチ２２Ｌ、２２Ｒは、制御部３０からの指令に従い、スピーカ２８Ｌ、２８Ｒに出力する音声信号を、音声合成部３２にて生成された音声信号、及び、ＦＭ放送受信部２０からの音声信号の何れかに切り換えるためのものである。
【００４３】
つまり、制御部３０は、ＤＴＭＦ検知部１２からの検知信号に基づき緊急放送の実施を検知した際、ＤＴＭＦ検知部１２にて検知されたＤＴＭＦ信号の配列が音声案内を指令する配列であるか否かを判定する。
【００４４】
そして、ＤＴＭＦ信号が音声案内を指令する配列である場合には、音声案内用の音声信号を音声合成部３２に生成させ、音声切り換えスイッチ２２Ｌ、２２Ｒを、音声合成部３２で生成された音声信号を選択する側に切り換える。この結果、スピーカ２８Ｌ、２８Ｒから、緊急放送に対応した音声案内用のメッセージが出力されることになる。
【００４５】
次に制御部３０において、緊急放送が開始されたときに、その旨を周囲に報知するために実施される緊急報知処理について、図２に示すフローチャートに沿って説明する。
この緊急報知処理は、制御部３０においてメインルーチンの一つとして繰り返し実施される処理である。
【００４６】
図２に示すように、緊急報知処理においては、まずＳ１１０（Ｓはステップを表す）にて、音圧検知部１２にて予め設定された閾値以上の音圧が検知されたか否かを判断する。
Ｓ１１０の処理は、緊急放送受信部１０にて、通常放送よりも高い音圧で緊急放送を実施する局からの緊急放送が受信されたか否かを判断するための処理であり、音圧が閾値以上となり、緊急放送が受信されたと判断されると、Ｓ１２０に移行する。
【００４７】
Ｓ１２０では、Ｓ１１０にて受信したと判断した緊急放送の音声をスピーカ２８Ｌ、２８Ｒから出力させるために、ＦＭ放送受信部２０の選局周波数を、緊急放送の周波数に設定する。なお、Ｓ１２０では、使用者がＦＭ放送を聴いておらず、ＦＭ放送受信部２０の動作が停止しているときには、ＦＭ放送受信部２０を起動し、緊急放送を選局させる。
【００４８】
そして、続くＳ１３０では、音量調整部２４Ｌ、２４Ｒを調整することにより、スピーカ２８Ｌ，２８Ｒからの出力を緊急報知用の大音量に設定する。なお、音量調整部２４Ｌ、２４Ｒの調整は、例えば、音量調整部２４Ｌ、２４Ｒでの音声信号の通過損失を現在の状態から最小値まで徐々に低下させることにより行われる。
【００４９】
一方、Ｓ１１０にて、音圧検知部１２で閾値以上の音圧は検知されていないと判断された場合には、Ｓ１４０に移行して、ＤＴＭＦ検知部１４にて、予め緊急放送用として登録されているＤＴＭＦ信号が検知されたか否かを判断する。
【００５０】
そして、Ｓ１４０にて、予め登録されたＤＴＭＦ信号は検知されていないと判断されると、Ｓ１１０に移行し、Ｓ１４０にて、予め登録されたＤＴＭＦ信号が検知されたと判断されると、Ｓ１５０に移行する。
【００５１】
Ｓ１５０では、ＤＴＭＦ検知部１４にて検知されたＤＴＭＦ信号の種類若しくはＤＴＭＦ信号の配列（換言すれば時系列変化）から、ＤＴＭＦ信号が音声案内の出力指令であるか否かを判断する。
【００５２】
つまり、Ｓ１５０では、ＤＴＭＦ検知部１４にて検知されたＤＴＭＦ信号が、緊急放送の受信開始を指令しているのか、音声合成部３２にて音声合成可能な所定の音声案内の実施を指令しているのかを識別する。
【００５３】
Ｓ１５０にて、ＤＴＭＦ信号が音声案内の出力指令であると判断されると、Ｓ１６０に移行して、音声合成部３２に、その出力指令に対応した音声案内の音声信号を生成させ、スピーカ２８Ｌ、２８Ｒからその音声を出力するように、音声出力を設定する。
【００５４】
つまり、Ｓ１６０では、音声切り換えスイッチ２２Ｌ、２２Ｒを音声合成部３２側に切り換え、音声合成部３２から音声案内用の音声信号を周期的に繰り返し出力させる。そして、Ｓ１６０にて音声出力を音声案内に設定した後は、Ｓ１３０に移行し、スピーカ２８Ｌ、２８Ｒからの出力を緊急報知用の大音量に設定する。
【００５５】
また、Ｓ１５０にて、ＤＴＭＦ信号は音声案内の出力指令ではない、つまり、緊急放送の受信開始指令である、と判断された場合には、Ｓ１２０に移行して、緊急放送受信部１０に緊急放送を受信させ、Ｓ１３０にて、その緊急放送の音声をスピーカ２８Ｌ、２８Ｒから大音量で出力させる。
【００５６】
このように、Ｓ１２０、Ｓ１３０、又は、Ｓ１６０、Ｓ１３０の処理にて、緊急放送又は音声案内の音声をスピーカ２８Ｌ，２８Ｒから発生するように、緊急放送受信装置２の動作を設定すると、Ｓ１７０に移行して、その音声の出力停止条件が成立したか否かを判断する。
【００５７】
この出力停止条件は、音圧検知部１２で検知される音圧が一定期間閾値未満となったとき、ＤＴＭＦ検知部１４にて緊急放送の終了を表すＤＴＭＦ信号が検知されたとき、或いは、操作部３４から緊急放送の受信停止指令が入力されたとき、に成立するものとして予め設定されている。
【００５８】
そして、Ｓ１７０の判定処理は、出力停止条件が成立するまで繰り返し実行され、出力停止条件が成立すると、Ｓ１８０に移行して、スピーカ２８Ｌ、２８Ｒからの音声出力及び音量を、Ｓ１２０、Ｓ１３０、Ｓ１６０で設定変更する前の元の状態に戻し、Ｓ１１０に移行する。
【００５９】
以上説明したように、本実施形態の緊急放送受信装置２においては、緊急放送受信部１０から出力される左右の音声信号のうち、左の音声信号の信号レベルから音圧を検知する音圧検知部１２と、右の音声信号からＤＴＭＦ信号を検知するＤＴＭＦ検知部１４とが設けられている。
【００６０】
そして、制御部３０は、各検知部１２、１４からの検知信号に基づき、通常時の放送に比べて音圧を上げて緊急放送を実施する局からの緊急放送、若しくは、ＤＴＭＦ信号にて緊急放送の開始や停止を通知する局からの緊急放送を検知する。
【００６１】
このため、本実施形態の緊急放送受信装置２によれば、本開示の第２緊急放送に相当する前者の緊急放送が実施される地域であっても、本開示の第１緊急放送に相当する後者の緊急放送が実施される地域であっても、緊急放送が実施されると、その旨を速やかに検知することができる。
【００６２】
また、これら緊急放送の実施は、一つの緊急放送受信部１０を用いて検知できることから、緊急放送毎に受信部を設ける必要がなく、装置構成を簡単にすることができる。
次に、制御部３０は、前者の緊急放送を検知すると、ＦＭ放送受信部２０に緊急放送を受信させて、ＦＭ放送受信部２０から出力される左右の音声信号をスピーカ２８Ｌ、２８Ｒに出力することにより、緊急放送の音声を大音量で出力させる。
【００６３】
また、制御部３０は、後者の緊急放送を検知すると、ＤＴＭＦ信号に基づき局からの指令情報を識別して、その指令情報が緊急放送の音声を出力させる指令であれば、ＦＭ放送受信部２０に緊急放送を受信させて、緊急放送の音声を大音量で出力させる。逆に、指令情報が所定の音声案内を出力させる指令であれば、音声合成部３２にその音声案内の音声信号を生成させて、スピーカ２８Ｌ、２８Ｒに出力することにより、音声案内の音声を大音量で出力させる。
【００６４】
このため、ＤＴＭＦ信号を用いて緊急放送の開始や停止を通知する局では、緊急放送開始時に送信するＤＴＭＦ信号の種類や配列を変えることで、緊急放送受信装置２に対し、緊急放送の音声を出力させたり、所望の音声案内を出力させたりすることができる。
【００６５】
なお、本実施形態においては、ＤＴＭＦ検知部１４と制御部３０にて実行されるＳ１４０の処理とにより、本開示の第１信号検知部としての機能が実現され、音圧検知部１２と制御部３０にて実行されるＳ１１０の処理とにより、本開示の第２信号検知部としての機能が実現される。
【００６６】
以上、本開示の一実施形態について説明したが、本開示は上記実施形態に限定されるものではなく、種々の態様をとることができる。
例えば、上記実施形態では、通常時よりも音圧を上げて緊急放送を実施する局からの放送信号を受信できるようにするため、音圧検知部１２を設けている。しかし、緊急放送を行う局としては、音声信号をデジタル変調（例えば、ＦＳＫ、ＰＳＫ、ＱＡＭ、等）することにより緊急放送の開始を通知する局も考えられる。
【００６７】
従って、この種の局からの緊急放送を受信できるようにするには、音圧検知部１２に代えて、音声信号をデジタル復調することで局からの通知データを復元する、デジタル復調部を設けるようにしてもよい。
【００６８】
また、上記実施形態において、ＤＴＭＦ検知部１４を設けているのは、緊急放送を行う局では、ＤＴＭＦ信号にて緊急放送の開始を通知することが一般的であるためである。
従って、検知すべき緊急放送の種類によっては、緊急放送受信部１０の左右の音声出力端子Ｌ、Ｒに、音圧検知部１２とデジタル復調部とを設けるようにしてもよく、或いは、復調方式が異なる２つのデジタル復調機を設けるようにしてもよい。
【００６９】
また、上記実施形態では、緊急放送受信装置２には、緊急放送の音声をスピーカ２８Ｌ、２８Ｒから出力できるように、ＦＭ放送受信部２０を設けるものとして説明した。しかし、緊急放送受信装置において、緊急放送を検出して、外部の警報装置やＦＭ放送受信装置を起動することができればよいのであれば、必ずしもＦＭ放送受信部２０を設ける必要はない。つまり、この場合、出力部３８から外部装置に緊急放送が実施されていることを通知するようにすればよい。
【００７０】
また、上記実施形態では、緊急放送が開始されたときに音声案内を実施できるように、緊急放送受信装置２には、音声合成部３２及び音声切り換えスイッチ２２Ｌ、２２Ｒを設けるものとして説明したが、これら各部は必ずしも設ける必要はない。つまり、制御部３０は、緊急放送を検知すると、必ず、ＦＭ放送受信部２０に緊急放送を受信させて、スピーカ２８Ｌ、２８Ｒから緊急放送の音声を出力させるようにしてもよい。
【００７１】
一方、ＤＴＭＦ信号を用いて緊急放送の開始や停止を通知する局では、ＤＴＭＦ信号の種類や配列を変えることで、緊急放送受信装置２に対し、表示部３６に所望のメッセージ（文字列）を表示させることもできる。
【００７２】
そこで、本実施形態の変形例として、緊急放送受信装置２を、このような局からＤＴＭＦ信号を受信して表示部３６にメッセージ（文字列）を表示させるように構成する際に、制御部３０にて実行される緊急報知処理について、図３に示すフローチャートに沿って説明する。
【００７３】
なお、図３に示す緊急報知処理は、図２において、Ｓ１４０にてＤＴＭＦ信号が検知されたと判断された後に実行される処理である。また、図３に示す緊急報知処理を実施するに当たって、緊急放送を実施する局からは、連続する５つ（５桁）のＤＴＭＦ信号を所定時間間隔で送信することで、所望の情報が送信されるものとする。
【００７４】
図３に示すように、ＤＴＭＦ信号検知後の緊急報知処理では、Ｓ２１０にて、上記のように、連続する５桁のＤＴＭＦ信号を取得するためのＤＴＭＦデータ取得処理を実行する。そして、続くＳ２２０では、Ｓ２１０にてＤＴＭＦデータを５桁分取得したか否かを判断し、５桁のＤＴＭＦデータを取得していなければ、Ｓ２１０に戻り、５桁のＤＴＭＦデータを取得していれば、Ｓ２３０に移行する。
【００７５】
Ｓ２３０では、取得した５桁のＤＴＭＦデータのうち、１〜３桁のデータをエリア情報としてメモリに記憶し、続くＳ２４０にて、その記憶したエリア情報は、緊急放送受信装置２自身の設置エリアとして予め登録されている端末アドレスと一致するか否かを判断する。
【００７６】
そして、Ｓ２４０にて、エリア情報は端末アドレスと一致すると判断されると、換言すれば、局から送信されてきたＤＴＭＦ信号は自身に対する報知指令であると判断されると、Ｓ２５０に移行し、ＤＴＭＦデータの４桁目及び５桁目のデータ（全２桁のデータ）にて特定される文字列を、表示部３６に表示する。
【００７７】
なお、この文字列は、緊急放送の種別等を通知するための情報であり、２桁のＤＴＭＦデータのデータ配列に応じて予めメモリに記憶されている。このため、Ｓ２５０では、取得したＤＴＭＦデータの４桁目及び５桁目のデータに対応した文字列をメモリから読み出し、表示部３６に表示する。
【００７８】
また、続くＳ２６０では、上述したＳ１２０と同様、緊急放送受信部１０に緊急放送を受信させて、緊急放送の音声をスピーカ２８Ｌ、２８Ｒから出力させる。
次に、Ｓ２７０では、Ｓ２１０と同様、ＤＴＭＦデータ取得処理を実行し、続くＳ２８０では、Ｓ２７０にてＤＴＭＦデータを５桁分取得したか否かを判断する。そして、５桁のＤＴＭＦデータを取得していなければ、Ｓ２１０に戻り、５桁のＤＴＭＦデータを取得していれば、Ｓ２９０に移行する。
【００７９】
Ｓ２９０では、取得した５桁のＤＴＭＦデータは、緊急放送の終了コード（例えば、９１８７４）であるか否かを判断する。緊急放送の終了コードであれば、Ｓ３００に移行して、スピーカ２８Ｌ、２８Ｒからの音声出力、及び、表示部３６への表示を、ＤＴＦＭ信号検知前の元の状態に戻し、当該緊急報知処理を一旦終了する。
【００８０】
なお、この処理終了後は、図２のＳ１１０に移行する。また、緊急放送の終了コードや、以下に説明する文字開始コード、文字終了コード、及び、文字コードは、予め設定されており、メモリに記憶されている。
【００８１】
次に、Ｓ２９０にて、５桁のＤＴＭＦデータは、緊急放送の終了コードではないと判断されると、Ｓ３１０に移行して、その５桁のＤＴＭＦデータは、表示用の文字コードの送信を開始する旨を表す文字開始コード（例えば、８８８８８）であるか否かを判断する。
【００８２】
そして、Ｓ３１０にて、Ｓ２７０で取得したＤＴＭＦデータは文字開始コードではないと判断されると、Ｓ２１０に移行し、Ｓ３２０にＳ２７０で取得したＤＴＭＦデータが文字開始コードであると判定されると、Ｓ３２０に移行する。
【００８３】
Ｓ３２０では、ＤＴＭＦ検知部１４にて検知されるＤＴＭＦ信号（データ）から、表示部３６へ表示する文字コードを取得し、Ｓ３３０に移行して、その取得した文字コードをメモリに記憶する。
【００８４】
次に、続くＳ３４０では、ＤＴＭＦ検知部１４にて、文字コードの送信を終了する旨を表す文字終了コード（例えば、９９９９９）が取得されたか否かを判断し、文字終了コードが取得されていなければ、Ｓ３１０に移行する。
【００８５】
また、Ｓ３４０にて、文字終了コードが取得されたと判断されると、Ｓ３５０に移行して、Ｓ３３０にて順次記憶された文字コードをメモリから読み出し、その文字コードからなる文字列を、表示メッセージとして表示部３６に表示し、Ｓ２１０に移行する。
【００８６】
このように、図３に示すＤＴＭＦ信号検知後の緊急報知処理では、ＤＴＭＦ信号にて緊急放送を行う局からの送信データを取得し、そのデータが、文字情報（文字コード）であれば、その文字情報に基づき表示部３６に、局から通知された文字列を表示させる。
【００８７】
従って、ＤＴＭＦ信号にて緊急放送を実施する局では、必要に応じて、緊急放送受信装置２の表示部３６に所望のメッセージを表示させることができるようになり、緊急時の通報をより正確に実施することが可能となる。
【００８８】
また次に、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【符号の説明】
【００８９】
２…緊急放送受信装置、４…入力端子、６…サージアブソーバ、７…バンドパスフィルタ、８…増幅器、１０…緊急放送受信部、１２…音圧検知部、１４…ＤＴＭＦ検知部、２０…ＦＭ放送受信部、２２Ｌ，２２Ｒ…音声切り換えスイッチ、２４Ｌ，２４Ｒ…音量調整部、２６Ｌ，２６Ｒ…増幅回路、２８Ｌ，２８Ｒ…スピーカ、３０…制御部、３２…音声合成部、３４…操作部、３６…表示部、３８…出力部。
【図１】
2018019230.tif 000003
【図２】
2018019230.tif 000004
【図３】
2018019230.tif 000005